(57)【要約】【課題】原稿の掬い上げ性能を向上させた画像読取装置を提供する。【解決手段】画像読取装置は、原稿を載置する原稿載置台２２１と、原稿載置台２２１上の原稿の端部を揃える原稿ガイド部材２２２と、搬送された原稿の下面に面する原稿通過部２１５と、原稿載置台２２１と原稿通過部２１５との間に設けられた原稿掬い上げ部２１４とを備えている。原稿ガイド部材２２２の上面は、両端の基面部２２２ｂより低い低面部２２２ａを有している。低面部２２２ａは、原稿ガイド部材２２２のうち、原稿掬い上げ部２１４と重なる領域に設けられている。【選択図】図９
2019127370.tif 000002
【特許請求の範囲】
【請求項１】
原稿を載置する原稿載置台と、
前記原稿載置台上の原稿の端部を揃える原稿ガイド部材と、
搬送された原稿の下面に面する原稿通過部と、
前記原稿載置台と前記原稿通過部との間に設けられた原稿掬い上げ部とを備えた画像読取装置であって、
前記原稿ガイド部材の上面は、該原稿ガイド部材の長手方向での両端の基面部より、高さ方向で低い低面部を有し、
前記低面部は、前記原稿ガイド部材のうち、前記長手方向で前記原稿掬い上げ部と重なる領域に設けられていること
を特徴とする画像読取装置。
【請求項２】
請求項１に記載の画像読取装置であって、
前記原稿ガイド部材は、前記原稿載置台に貼り付けられており、前記低面部での厚みが、前記基面部での厚みより薄く形成されていること
を特徴とする画像読取装置。
【請求項３】
請求項１または請求項２に記載の画像読取装置であって、
前記低面部には、原稿のサイズを示す指標が設けられていること
を特徴とする画像読取装置。
【請求項４】
請求項３に記載の画像読取装置であって、
前記指標は、前記低面部を凹ませて形成されていること
を特徴とする画像読取装置。
【請求項５】
請求項１から請求項４までのいずれか１つに記載の画像読取装置であって、
前記原稿ガイド部材は、前記原稿掬い上げ部の側に延出した延出部を備え、
前記延出部は、前記原稿掬い上げ部に差し込まれていること
を特徴とする画像読取装置。
【請求項６】
請求項５に記載の画像読取装置であって、
前記延出部は、前記原稿ガイド部材のうち、前記長手方向での中央部に設けられていること
を特徴とする画像読取装置。
【請求項７】
請求項１から請求項６までのいずれか１つに記載の画像読取装置を備えた画像形成装置。
【発明の詳細な説明】
【技術分野】
【０００１】
本発明は、原稿載置台に載置された原稿を読み取る画像読取装置および画像形成装置に関する。
【背景技術】
【０００２】
一般的に、画像読取装置では、載置された原稿を読み取るモードと、原稿を通過させて読み取るモードとの両方を備えたものが広く知られている。このような画像読取装置では、シートスルー方式の原稿搬送装置で原稿を搬送して、画像読取素子の上方を通過させている。この際、原稿は、画像読取素子の上方に位置するガラスなどの表面に接するように搬送され、掬い上げ部材で先端を浮き上がらせて、原稿搬送装置に取り込まれる（例えば、特許文献１および特許文献２参照）。
【先行技術文献】
【特許文献】
【０００３】
【特許文献１】特開２００５−１５０８５号公報
【特許文献２】特開２００９−８６２１５号公報
【発明の概要】
【発明が解決しようとする課題】
【０００４】
特許文献１に記載の画像形成装置は、固定された読み取り手段と、自動原稿給送装置と、画像読み取り部と、読み取りガラスと、読み取りガラスに対向するガイド板と、原稿先端を掬い上げるための掬い上げガイドとを備え、掬い上げガイドが自動原稿給送装置の側に取り付けられている。ここで、自動原稿給送装置は、読み取りガラスの側に対して、開閉する構成とされており、掬い上げガイドと読み取りガラスとが固定されていない。そのため、自動原稿給送装置を開閉した際に、掬い上げガイドが読み取りガラス等と衝突する虞がある。
【０００５】
特許文献２に記載の画像読取装置は、筐体に内蔵された画像読取手段と、筐体の一部に配置された第１のプラテンと、第１のプラテンの一端に配置された掬い上げ部材とを備えており、掬い上げ部材には、第１のプラテンとの隙間から侵入する塵埃を収容する塵埃収容空間が設けられている。掬い上げ部材は、第２のプラテンの端部と接合されているが、その接合部には、特別な配慮がなされておらず、第２のプラテンの上方に配置された原稿搬送ユニットとの位置関係が考慮されていない。そのため、掬い上げ部材と原稿搬送ユニットとの間の距離が大きくなって段差が生じ、原稿の搬送を阻害する虞がある。
【０００６】
本発明は、上記の課題を解決するためになされたものであり、原稿の掬い上げ性能を向上させることができる画像読取装置および画像形成装置を提供することを目的とする。
【課題を解決するための手段】
【０００７】
本発明に係る画像読取装置は、原稿を載置する原稿載置台と、前記原稿載置台上の原稿の端部を揃える原稿ガイド部材と、搬送された原稿の下面に面する原稿通過部と、前記原稿載置台と前記原稿通過部との間に設けられた原稿掬い上げ部とを備えた画像読取装置であって、前記原稿載置台のうち、前記原稿ガイド部材の上面は、該原稿ガイド部材の長手方向での両端の基面部より、高さ方向で低い低面部を有し、前記低面部は、前記原稿ガイド部材のうち、前記長手方向で前記原稿掬い上げ部と重なる領域に設けられていることを特徴とする。
【０００８】
本発明に係る画像読取装置では、前記原稿ガイド部材は、前記原稿載置台に貼り付けられており、前記低面部での厚みが、前記基面部での厚みより薄く形成されている構成としてもよい。
【０００９】
本発明に係る画像読取装置では、前記低面部には、原稿のサイズを示す指標が設けられている構成としてもよい。
【００１０】
本発明に係る画像読取装置では、前記指標は、前記低面部を凹ませて形成されている構成としてもよい。
【００１１】
本発明に係る画像読取装置では、前記原稿ガイド部材は、前記原稿掬い上げ部の側に延出した延出部を備え、前記延出部は、前記原稿掬い上げ部に差し込まれている構成としてもよい。
【００１２】
本発明に係る画像読取装置では、前記延出部は、前記原稿ガイド部材のうち、前記長手方向での中央部に設けられている構成としてもよい。
【００１３】
本発明に係る画像形成装置は、本発明に係る画像読取装置を備えることを特徴とする。
【発明の効果】
【００１４】
本発明によると、原稿ガイド部材において、原稿掬い上げ部に対応する箇所を周囲より低くすることで、原稿の掬い上げ性能を向上させることができる。つまり、原稿ガイド部材の上方に配置される部材を、より原稿ガイド部材に近づけることができ、原稿掬い上げ部との段差が生じない構成とすることができる。
【図面の簡単な説明】
【００１５】
【図１】本発明の第１実施形態に係る画像形成装置の概略側面図である。
【図２】本発明の第１実施形態に係る画像読取装置の斜視図である。
【図３】筐体から取り外されている状態の原稿載置台を示す斜視図である。
【図４】筐体と原稿載置台とを組み合わせる工程を示す斜視図である。
【図５】原稿ガイド部材を上方から見た状態を示す斜視図である。
【図６】原稿ガイド部材を下方から見た状態を示す斜視図である。
【図７】原稿ガイド部材と原稿のサイズとを比較する説明図である。
【図８】原稿ガイド部材と原稿掬い上げ部との係合部を示す断面斜視図である。
【図９】原稿ガイド部材近傍を拡大して示す模式断面図である。
【図１０】本発明の第２実施形態に係る画像読取装置において、原稿ガイド部材近傍を拡大して示す模式断面図である。
【図１１】本発明の第３実施形態に係る画像読取装置において、原稿ガイド部材近傍を拡大して示す模式断面図である。
【発明を実施するための形態】
【００１６】
（第１実施形態）
以下、本発明の第１実施形態に係る画像形成装置について、図面を参照して説明する。
【００１７】
図１は、本発明の第１実施形態に係る画像形成装置の概略側面図である。
【００１８】
画像形成装置１００は、原稿を読み取って用紙に画像形成する複写機能を有しており、画像読取装置２００、画像読取装置２００の上側に設けられた原稿搬送装置１２０（ＡＤＦ）、画像読取装置２００の下側に設けられた画像形成部１１０、給紙カセット１４、手差し給紙トレイ１５、および排出トレイ１６を備えている。
【００１９】
原稿搬送装置１２０は、画像読取装置２００に対して開閉自在に支持されている。原稿搬送装置１２０が開かれると、画像読取装置２００の上方に設けられた原稿載置台２２１および原稿通過部２１５が開放され、原稿載置台２２１に原稿を手置きで置くことができるようになっている。また、原稿搬送装置１２０は、載置された原稿を自動で搬送する。画像読取装置２００は、載置された原稿または原稿搬送装置１２０から搬送された原稿を読み取って画像データを生成する。なお、画像読取装置２００については、後述する図２を参照して、詳細に説明する。
【００２０】
画像形成装置１００では、ブラック（Ｋ）、シアン（Ｃ）、マゼンタ（Ｍ）、イエロー（Ｙ）の各色を用いたカラー画像、または単色（例えば、ブラック）を用いたモノクロ画像に応じた画像データが扱われる。画像形成部１１０には、４種類のトナー像を形成するための現像装置２、感光体ドラム３、ドラムクリーニング装置４、および帯電器５が４つずつ設けられ、それぞれがブラック、シアン、マゼンタ、およびイエローに対応付けられた４つの画像ステーションが構成されている。
【００２１】
ドラムクリーニング装置４は、感光体ドラム３の表面の残留トナーを除去および回収する。帯電器５は、感光体ドラム３の表面を所定の電位に均一に帯電させる。光走査装置１は、感光体ドラム３の表面を露光して静電潜像を形成する。現像装置２は、感光体ドラム３の表面の静電潜像を現像して、感光体ドラム３の表面にトナー像を形成する。上述した一連の動作によって、各感光体ドラム３の表面に各色のトナー像が形成される。
【００２２】
感光体ドラム３の上側には、中間転写ベルトユニット６の中間転写ローラ６４が配置されており、感光体ドラム３と中間転写ローラ６４とによって中間転写ベルト６１が挟持されている。中間転写ベルト６１は、転写ベルト駆動ローラ６２および転写ベルト従動ローラ６３に張架されて矢符Ｄの方向へ周回移動し、ベルトクリーニング装置６５によって残留トナーを除去および回収され、各感光体ドラム３の表面に形成された各色のトナー像が順次転写して重ね合わされて、中間転写ベルト６１の表面にカラーのトナー像が形成される。
【００２３】
２次転写部１０の転写ローラ１０ａは、中間転写ベルト６１との間にニップ域が形成されており、用紙搬送路Ｓを通じて搬送されて来た用紙Ｐをニップ域に挟み込んで搬送する。用紙Ｐは、ニップ域を通過する際に、中間転写ベルト６１の表面のトナー像が転写されて定着装置７に搬送される。
【００２４】
定着装置７は、用紙Ｐを挟んで回転する定着ローラ７１および加圧ローラ７２を備えている。定着ローラ７１は、外部に設けられた加熱部７３によって加熱されている。定着装置７は、定着ローラ７１および加圧ローラ７２の間にトナー像が転写された用紙Ｐを挟み込んで加熱および加圧し、トナー像を用紙Ｐに定着させる。
【００２５】
給紙カセット１４は、画像形成に使用する用紙Ｐを蓄積しておくためのカセットであり、光走査装置１の下側に設けられている。給紙カセット１４に蓄積された用紙Ｐは、ピックアップローラ１１ａによって給紙カセット１４から引き出される。手差し給紙トレイ１５は、画像形成部１１０の側面に開閉自在に設けられており、開放することで用紙Ｐを載置することができる。手差し給紙トレイ１５に蓄積された用紙Ｐは、ピックアップローラ１１ｂによって引き出される。
【００２６】
画像形成部１１０において、給紙カセット１４および手差し給紙トレイ１５から供給された用紙Ｐは、用紙搬送路Ｓを介し、転写ローラ１０ａおよび定着装置７を経て、排出トレイ１６へ搬送される。用紙搬送路Ｓには、搬送ローラ１２ａないし搬送ローラ１２ｄと、レジストローラ１３とが設けられている。
【００２７】
搬送ローラ１２ａないし搬送ローラ１２ｄは、用紙Ｐの搬送を促進および補助するローラであって、用紙搬送路Ｓに沿って設けられている。
【００２８】
レジストローラ１３は、転写ローラ１０ａの上流側に設けられ、用紙Ｐを一旦停止させて、用紙Ｐの先端を揃えた後、中間転写ベルト６１と転写ローラ１０ａとの間のニップ域でのカラーのトナー像の転写タイミングに合わせて用紙Ｐの搬送を開始する。
【００２９】
画像形成装置１００において、片面印刷の際、給紙カセット１４および手差し給紙トレイ１５から供給された用紙Ｐは、主搬送路Ｓ１を通じて、転写ローラ１０ａおよび定着装置７を経て画像形成される。その後、用紙Ｐは、搬送ローラ１２ｂを経て、排出トレイ１６上に排出される。また、両面印刷の際には、上述した片面印刷を行った後、用紙Ｐは、反転搬送路Ｓ２を通じて、再度、レジストローラ１３へ導かれることで、表裏が反転され、表面と同様にして裏面に画像形成を行うことができる。
【００３０】
なお、本実施の形態では、原稿搬送装置１２０で搬送される原稿と、画像形成部１１０で搬送される用紙Ｐとで、異なる呼び方をしているが、いずれでも同様の種類の紙、例えば、普通紙等を用いることができる。つまり、原稿と用紙Ｐとで互いに違いはなく、原稿は、用紙Ｐの一例に過ぎない。
【００３１】
図２は、本発明の第１実施形態に係る画像読取装置の斜視図である。
【００３２】
画像読取装置２００は、筐体２１０の上面に原稿載置台２２１と原稿通過部２１５とが設けられており、原稿載置台２２１と原稿通過部２１５との間に原稿掬い上げ部２１４を有している。原稿載置台２２１および原稿通過部２１５は、矩形状とされ、透明な強化ガラスで形成されている。筐体２１０の内部には、光電変換素子が収納されており、原稿載置台２２１および原稿通過部２１５を介して読み取った原稿を画像データに変換する。
【００３３】
筐体２１０と原稿載置台２２１とは、それぞれ別にして形成されており、組み立ての際に、互いを組み合わせる構成とされている。具体的に、筐体２１０の高さ方向Ｚでの上面には、開口が設けられており、その開口に原稿載置台２２１を嵌め込む構造とされている。原稿載置台２２１は、側縁に取り付けられた原稿ガイド部材２２２、短辺固定板２２３、第１長辺固定板２２４、および第２長辺固定板２２５によって、筐体２１０に取り付けられている。
【００３４】
原稿ガイド部材２２２は、原稿載置台２２１のうち、原稿通過部２１５に面する側縁（短辺）に取り付けられ、短辺固定板２２３は、原稿ガイド部材２２２と対向する側縁に取り付けられている。第１長辺固定板２２４および第２長辺固定板２２５は、原稿載置台２２１のうち、互いに対向する側縁（長辺）に取り付けられている。なお、原稿載置台２２１を筐体２１０と組み合わせる工程については、後述する図３および図４を参照して、詳細に説明する。
【００３５】
以下では説明のため、原稿載置台２２１と原稿通過部２１５とが対向する方向を左右方向Ｘと呼び、左右方向Ｘのうち、原稿通過部２１５に向かう方向を左方向Ｘ１と呼び、原稿載置台２２１に向かう方向を右方向Ｘ２と呼ぶことがある。また、第１長辺固定板２２４と第２長辺固定板２２５とが対向する方向を奥行方向Ｙと呼び、奥行方向Ｙのうち、第１長辺固定板２２４に向かう方向を正面方向Ｙ１と呼び、第２長辺固定板２２５に向かう方向を背面方向Ｙ２と呼ぶことがある。
【００３６】
図３は、筐体から取り外されている状態の原稿載置台を示す斜視図であって、図４は、筐体と原稿載置台とを組み合わせる工程を示す斜視図である。
【００３７】
図３に示すように、原稿載置台２２１は、筐体２１０に取り付ける前に、両面粘着シートＴ１を介して、予め原稿ガイド部材２２２、第１長辺固定板２２４、および第２長辺固定板２２５が貼り付けられる。そして、原稿載置台２２１を筐体２１０と組み合わせる際には、図４に示すように、原稿ガイド部材２２２を原稿掬い上げ部２１４に係合させた後、原稿載置台２２１を筐体２１０の開口部上に載置する。短辺固定板２２３は、原稿載置台２２１と筐体２１０とを組み合わせてから、原稿載置台２２１に貼り付けられる。なお、短辺固定板２２３は、筐体２１０に対し、ビス等で固定してもよい。また、原稿ガイド部材２２２と原稿掬い上げ部２１４との係合部については、後述する図８を参照して、詳細に説明する。
【００３８】
第１長辺固定板２２４のうち、原稿載置台２２１の中央側（背面方向Ｙ２の側）の側縁には、端部に向かうに従って、徐々に厚みが薄くなる固定傾斜部２２４ａが設けられている。これによって、原稿載置台２２１と第１長辺固定板２２４とでの段差が緩和されるので、ユーザが原稿載置台２２１上の原稿を回収する際、正面方向Ｙ１へ滑らせるようにして、第１長辺固定板２２４の上を通過させることができる。なお、端部の厚みを薄くした形状とするのは、第１長辺固定板２２４だけに限らず、短辺固定板２２３なども同様の形状としてもよい。
【００３９】
図５は、原稿ガイド部材を上方から見た状態を示す斜視図であって、図６は、原稿ガイド部材を下方から見た状態を示す斜視図であって、図７は、原稿ガイド部材と原稿のサイズとを比較する説明図である。
【００４０】
原稿ガイド部材２２２は、厚みの薄い板状とされ、長手方向が奥行方向Ｙとされている。原稿ガイド部材２２２の上面には、奥行方向Ｙでの両端に位置する基面部２２２ｂと、基面部２２２ｂより高さが低い低面部２２２ａとを有している。基面部２２２ｂと低面部２２２ａとの境界は、厚みが徐々に変化するガイド傾斜部２２２ｆとされている。なお、正面方向Ｙ１側のガイド傾斜部２２２ｆは、隣接する第１長辺固定板２２４の固定傾斜部２２４ａに対して、奥行方向Ｙでの位置が重なるように設けてもよく、原稿ガイド部材２２２と第１長辺固定板２２４とで高さ方向Ｚでの位置が一致する構成としてもよい。このように、隣接する部材同士での段差をなくすことで、ユーザには、各部が一体に形成されているような印象を与えることができ、デザイン的に優れた形状とすることができる。
【００４１】
低面部２２２ａは、原稿ガイド部材２２２のうち、奥行方向Ｙで原稿掬い上げ部２１４と重なる領域に設けられている（例えば、図２参照）。原稿掬い上げ部２１４は、原稿搬送装置１２０で搬送可能な原稿（用紙）の幅よりも、奥行方向Ｙで長く形成されている。つまり、原稿搬送装置１２０で原稿を搬送した際、原稿の先端全体が原稿掬い上げ部２１４に接する構造とされている。図７では、本実施の形態における原稿搬送装置１２０で搬送可能な原稿（用紙）のうち、最も幅が大きい原稿を示しており、用紙Ｐの幅（用紙幅ＰＷ）は、約２１６ｍｍとされている。低面部２２２ａは、図７に示す用紙Ｐよりも、奥行方向Ｙで長く形成されており、低面部２２２ａの長さ（低面部長ＧＷ）は、約２３９ｍｍとされている。また、本実施の形態において、基面部２２２ｂの厚み（基面厚ＫＬ）は、約２．２ｍｍとされ、低面部２２２ａの厚み（低面厚ＴＬ）は、約１．７ｍｍとされており、基面部２２２ｂと低面部２２２ａとでは、約０．５ｍｍの段差が設けられている。
【００４２】
低面部２２２ａには、原稿のサイズを示す指標２２２ｄが設けられている。本実施の形態において、指標２２２ｄは、文字や線などで構成されている。指標２２２ｄは、例えば、塗料によって着色するなど、ユーザに視覚的に認識させるものであればよい。低面部２２２ａに指標２２２ｄを設けることで、ユーザに原稿のサイズを把握させながら、原稿を載置させることができる。なお、指標２２２ｄについては、後述する第２実施形態で詳細に説明する。
【００４３】
原稿ガイド部材２２２のうち、原稿掬い上げ部２１４に面する側（左方向Ｘ１の側）の側面には、周囲よりも左方向Ｘ１へ突出した側面凸部２３１ａが設けられている。そして、側面凸部２３１ａの奥行方向Ｙでの中央部には、側面凸部２３１ａよりもさらに左方向へ延びた延出部２３１ｂが設けられている。また、原稿ガイド部材２２２の上面には、図６に示すように、白色のシェーディングシート２２２ｃが設けられている。
【００４４】
図８は、原稿ガイド部材と原稿掬い上げ部との係合部を示す断面斜視図である。
【００４５】
図８は、図２の矢符Ａ−Ａでの断面に相当し、原稿掬い上げ部２１４近傍を拡大して示している。画像読取装置２００では、原稿通過部２１５と原稿載置台２２１とで、互いの上面の高さが一致するように設定されている。原稿掬い上げ部２１４の上面は、原稿通過部２１５側（左方向Ｘ１側）の端部が原稿通過部２１５より低く、原稿載置台２２１側（右方向Ｘ２側）の端部が原稿載置台２２１より高くなるように、傾斜している。原稿掬い上げ部２１４の右方向Ｘ２側の端面には、奥行方向Ｙの全域にわたって延びる凹溝２１３が形成されている。凹溝２１３は、原稿ガイド部材２２２の側面凸部２３１ａおよび延出部２３１ｂに応じた形状とされており、凹溝２１３に側面凸部２３１ａおよび延出部２３１ｂを差し込んで、原稿ガイド部材２２２と原稿掬い上げ部２１４とが係合される。
【００４６】
延出部２３１ｂは、原稿載置台２２１の角に対応するように、下方へ屈曲して延びており、左右方向Ｘにおいて、原稿載置台２２１の端面に当接しつつ、原稿掬い上げ部２１４（凹溝２１３）に当接している。このように、延出部２３１ｂを設けて原稿載置台２２１の端部を押さえることで、原稿載置台２２１が浮き上がることを防止できる。そして、奥行方向Ｙにおいて、浮き上がりやすい中央部を押さえることで、延出部２３１ｂの効果をより高めることができる。
【００４７】
図９は、原稿ガイド部材近傍を拡大して示す模式断面図である。
【００４８】
図９では、画像読取装置２００に対して、原稿搬送装置１２０を閉じた状態での断面に相当し、原稿搬送装置１２０のうち、原稿ガイド部材２２２近傍に位置する部材を抜き出して示している。つまり、図９に示すのは、原稿搬送装置１２０の一部であって、原稿搬送装置１２０には、その他の部材を適宜設けてもよい。図９に示す箇所では、原稿が左方向Ｘ１の端部から右方向Ｘ２の端部に向かって搬送される。
【００４９】
原稿搬送装置１２０には、原稿ガイド部材２２２の近傍に、通過部対向板１２１、下方側導入ガイド１２２、板状部材１２３、および上方側導入ガイド１２４が設けられている。
【００５０】
通過部対向板１２１は、原稿通過部２１５および原稿掬い上げ部２１４の上方に設けられており、対向する部材との間で原稿が搬送される。通過部対向板１２１は、原稿通過部２１５との間に僅かな隙間を設けて配置され、右方向Ｘ２側の部分が右上方へ向かって延伸されている。つまり、通過部対向板１２１と原稿通過部２１５とが対向する部分では、原稿が通る隙間を小さくすることで、原稿通過部２１５に接する程度まで近づくように、通過部対向板１２１で原稿を押さえて、原稿を読み取りやすくしている。原稿通過部２１５の直上を通過した原稿は、先端が原稿掬い上げ部２１４に当接して、上方へ向かうように掬い上げられる。そのため、原稿掬い上げ部２１４の上方では、原稿の搬送を妨げないように、通過部対向板１２１を上方へ屈曲させて、原稿が通る隙間を広くしている。
【００５１】
下方側導入ガイド１２２、板状部材１２３、および上方側導入ガイド１２４は、通過部対向板１２１の右方向Ｘ２の端部付近に設けられている。下方側導入ガイド１２２および上方側導入ガイド１２４は、高さ方向Ｚで互いに対向して配置され、通過部対向板１２１によって導かれた原稿が通る隙間を形成している。下方側導入ガイド１２２は、下端が原稿ガイド部材２２２の上方に位置するように配置されている。板状部材１２３は、下方側導入ガイド１２２の下端から下方へ延伸するように取り付けられ、先端が低面部２２２ａに届く程度の長さとされており、原稿掬い上げ部２１４の上面のうち、右方向Ｘ２の端部よりも下方まで延びている。板状部材１２３は、薄く弾性を有する材質で形成されており、低面部２２２ａに接触した際は変形するので、原稿搬送装置１２０の開閉を阻害しない。
【００５２】
下方側導入ガイド１２２および板状部材１２３の下端は、低面部２２２ａに面する範囲に設けられていることが望ましい。つまり、下方側導入ガイド１２２および板状部材１２３は、基面部２２２ｂを避けて、低面部２２２ａに対応した配置とされていれば、より下方へ延伸させた構成とすることができる。
【００５３】
原稿搬送装置１２０は、画像読取装置２００に対して開閉する構成とされているため、画像読取装置２００に対する位置が変動することがある。その際での衝突を避けるため、原稿搬送装置１２０と画像読取装置２００との間には、余裕を持たせた隙間を設けることが望ましく、原稿掬い上げ部２１４と下方側導入ガイド１２２（板状部材１２３）とを密接させることは難しい。しかしながら、原稿掬い上げ部２１４と下方側導入ガイド１２２（板状部材１２３）との間に、高さ方向Ｚでの隙間（逆段差）が生じていると、原稿の先端が引っ掛かって搬送不良となることがある。
【００５４】
これに対し、本実施の形態では、原稿ガイド部材２２２に低面部２２２ａを設けているので、下方側導入ガイド１２２（板状部材１２３）を下方へ下げた配置とすることができ、原稿掬い上げ部２１４に対する逆段差が生じないようにしている。上述したように、原稿ガイド部材２２２において、原稿掬い上げ部２１４に対応する箇所を周囲より低くすることで、原稿の掬い上げ性能を向上させることができる。つまり、原稿ガイド部材２２２の上方に配置される部材を、より原稿ガイド部材２２２に近づけることができ、原稿掬い上げ部２１４との段差が生じない構成とすることができる。
【００５５】
また、原稿ガイド部材２２２自体の厚みを薄くすることで、テープなどの接着部材で原稿載置台２２１に貼り付けるとき、原稿ガイド部材２２２が反っていた場合でも、原稿載置台２２１の表面に沿って貼り付けることができ、剥がれ難くなる。
【００５６】
（第２実施形態）
次に、本発明の第２実施形態に係る画像形成装置および画像読取装置について、図面を参照して説明する。なお、画像形成装置の構造については、第１実施形態と略同様であるので、説明および図面を省略する。
【００５７】
図１０は、本発明の第２実施形態に係る画像読取装置において、原稿ガイド部材近傍を拡大して示す模式断面図である。
【００５８】
第２実施形態では、第１実施形態に対し、指標２２２ｄの形状が異なっている。具体的に、指標２２２ｄは、低面部２２２ａを凹ませて形成されている。つまり、低面部２２２ａの厚みを一部薄くした部分で、文字や線などを形成して、指標２２２ｄを設けている。このように、低面部２２２ａの厚みを薄くするようにしているので、原稿の掬い上げ性能に影響を与えることなく、指標２２２ｄを設けることができる。
【００５９】
（第３実施形態）
次に、本発明の第３実施形態に係る画像形成装置および画像読取装置について、図面を参照して説明する。なお、画像形成装置の構造については、第１実施形態および第２実施形態と略同様であるので、説明および図面を省略する。
【００６０】
図１１は、本発明の第３実施形態に係る画像読取装置において、原稿ガイド部材近傍を拡大して示す模式断面図である。
【００６１】
第３実施形態では、第１実施形態に対し、原稿ガイド部材２２２の形状が異なっている。具体的に、原稿ガイド部材２２２は、上面の左方向Ｘ１側の端縁に、原稿掬い上げ部２１４に沿って基面延伸部２２２ｅが設けられている。基面延伸部２２２ｅは、奥行方向Ｙの両端に位置する基面部２２２ｂと同じ厚みとされており、正面方向Ｙ１側の基面部２２２ｂと、背面方向Ｙ２側の基面部２２２ｂとに繋がっている。奥行方向Ｙに延伸されている基面延伸部２２２ｅを設けることで、原稿ガイド部材２２２が反ってしまうことを抑制し、原稿ガイド部材２２２の剥がれを防止できる。
【００６２】
なお、今回開示した実施の形態は全ての点で例示であって、限定的な解釈の根拠となるものではない。従って、本発明の技術的範囲は、上記した実施の形態のみによって解釈されるものではなく、特許請求の範囲の記載に基づいて画定される。また、特許請求の範囲と均等の意味および範囲内での全ての変更が含まれる。
【符号の説明】
【００６３】
１００  画像形成装置
１１０  画像形成部
１２０  原稿搬送装置
２００  画像読取装置
２１４  原稿掬い上げ部
２１５  原稿通過部
２２１  原稿載置台
２２２  原稿ガイド部材
２２２ａ  低面部
２２２ｂ  基面部
２２２ｄ  指標
２２２ｅ  基面延伸部
２２２ｆ  ガイド傾斜部
２３１ａ  側面凸部
２３１ｂ  延出部
Ｘ  左右方向
Ｘ１  左方向
Ｘ２  右方向
Ｙ  奥行方向
Ｙ１  正面方向
Ｙ２  背面方向
Ｚ  高さ方向
【図１】
2019127370.tif 000003
【図２】
2019127370.tif 000004
【図３】
2019127370.tif 000005
【図４】
2019127370.tif 000006
【図５】
2019127370.tif 000007
【図６】
2019127370.tif 000008
【図７】
2019127370.tif 000009
【図８】
2019127370.tif 000010
【図９】
2019127370.tif 000011
【図１０】
2019127370.tif 000012
【図１１】
2019127370.tif 000013